(57)【要約】【課題】インターネットファクス機能を備えたＭＦＰで、送信先の機器仕様を予め認識することなく、カラーの画像データを送信する。【解決手段】ＭＦＰのＣＰＵは、インターネットＦＡＸでカラー送信モードが選択されると（Ｓ３０２０にてＹＥＳ）送達確認機能を有効に設定するステップ（Ｓ３０３０）と、カラーのフォーマットの画像データを添付した電子メールを送信するステップ（Ｓ３０５０）と、送信してから予め定められた時間内に送達確認情報を受信しないと（Ｓ３０７０にてＮＯ）フォーマットをモノクロへ変換して再送信するステップ（Ｓ３０８０）とを含むプログラムを実行する。【選択図】図３
2011193219.tif 000002
【特許請求の範囲】
【請求項１】
インターネットファクス機能を備えた画像通信装置であって、
画像データを記憶するための記憶手段と、
画像データが添付された電子メールを送信するための送信手段と、
送信する画像データがカラー形式である場合に、送信された画像データを受信側装置が受信したか否かを判定するための判定手段と、
前記電子メールの送信先である受信側装置が画像データを受信していないと判定された場合に、画像データをモノクロ形式へ変換するための変換手段と、
前記モノクロ形式へ変換された画像データを送信するように、前記送信手段を制御するための制御手段とを含む、画像通信装置。
【請求項２】
前記判定手段は、
画像データを正常に受信したことを示す情報を送信するように受信側装置へ要求するための手段と、
前記情報を前記受信側装置から受信するための手段と、
前記情報を前記受信側装置から受信しない場合に、受信側装置が画像データを受信していないと判定するための手段とを含む、請求項１に記載の画像通信装置。
【請求項３】
前記判定手段は、
画像データを正常に受信しなかったことを示す情報を送信するように受信側装置へ要求するための手段と、
前記情報を前記受信側装置から受信するための手段と、
前記情報を前記受信側装置から受信した場合に、受信側装置が画像データを受信していないと判定するための手段とを含む、請求項１に記載の画像通信装置。
【請求項４】
前記受信側装置から受信する情報は、画像データの形式が受信側装置の機器仕様に合致しているか否かに基づいて、前記受信側装置により生成される情報である、請求項２または請求項３に記載の画像通信装置。
【請求項５】
前記画像通信装置は、
原稿をスキャンして画像データを生成するための手段と、
送信する画像データがカラー形式であるか否かを、送信時に判定するための手段とをさらに含む、請求項１〜請求項４のいずれかに記載の画像通信装置。
【請求項６】
前記画像通信装置は、
他の装置から転送された画像データを受信するための手段と、
前記転送された画像データの形式を維持して、送信する画像データを設定するための手段とをさらに含む、請求項１〜請求項４のいずれかに記載の画像通信装置。
【発明の詳細な説明】
【技術分野】
【０００１】
本発明は、カラーの画像データを送受信する画像通信装置に関し、特に、画像データを電子メールに添付して、インターネットを経由して送受信するインターネットファクス機能を備えた画像通信装置に関する。
【背景技術】
【０００２】
画像処理装置の一種である、プリンタ機能またはコピー機能等を備えた画像形成装置をネットワークに接続し、これらを複数のユーザで利用するケースが多くなっている。また、このような画像形成装置の１つである複合機（ＭＦＰ（ＭｕｌｔＩ／Ｆｕｎｃｔｉｏｎ  Ｐｅｒｉｐｈｅｒａｌ））のように、コピーモード、画像通信モード（代表的にはファクシミリ通信モードがある。なお、以下において、ファクシミリをＦＡＸまたはファクスと記載する場合がある。）、ネットワーク対応のプリンタモード、およびスキャナモードのように複数のモードを有するものも多くなってきている。
【０００３】
この画像通信モードとして、電話回線を用いて画像データを送受信するファクシミリ通信モード、インターネット回線を用いて画像データを電子メールに添付する形式で送受信するインターネットファクシミリ通信モード、ＭＦＰに内蔵された記憶デバイスに画像データを転送する画像転送モード（ドキュメントファイリングと呼ばれることがある。）、ネットワーク回線を介して、スキャンした画像データを特定のフォルダ（ＭＦＰ以外のコンピュータの記憶デバイスに作成されたフォルダ等）に転送する画像転送モード（スキャンｔｏフォルダと呼ばれることがある。）、ネットワーク回線を介して、スキャンした画像データを電子メールとして指定されたアドレスに転送する画像転送モード（スキャンｔｏメールと呼ばれることがある。）等がある。
【０００４】
これらの中で、インターネットファクシミリ通信モード（以下においてインターネットファクシミリをｉ−ＦＡＸと記載する場合がある。）においては、ＭＦＰにより原稿画像が画像データとして読取られて、この画像データが電子メールにより送信可能なデータ形式に変換されて、さらに、指定する宛先に送信される。このように送信されるｉ−ＦＡＸは、送信先が海外等の遠隔地であっても、電話料金を気にせずに安価に画像データを送信できるという長所を備える。
【０００５】
このようなＭＦＰにおいて実行されるｉ−ＦＡＸ通信においては、最近のネットワーク環境の性能向上等に伴いカラーの画像データを送受信することも行なわれている。しかしながら、カラーのｉ−ＦＡＸに対応したＭＦＰでなければカラーの画像データをｉ−ＦＡＸで処理することができない（受信できたとしても印刷等の処理が不可能）。以下の特許文献は、このようなインターネット回線を利用したｉ−ＦＡＸにおいて、カラー画像データに関する技術を開示する。
【０００６】
特開２００７−１３５０７４号公報（特許文献１）に開示されたインターネットＦＡＸ装置は、送信宛先と送信宛先毎の相手先の能力とを保持するアドレス帳記憶部と、電子化された文書をインターネットＦＡＸ形式文書に変換する変換部と、送信するインターネットＦＡＸ形式文書に含まれる画像の種類を選択する選択部と、送信時の設定をカラー文書送信設定およびモノクロ文書送信設定のいずれかに保持する保持部と、送信する文書がモノクロおよびカラーのいずれであるのかを判定する判定部と、送信する文書がカラー文書である場合にアドレス帳に記憶されている送信相手先の能力を参照してカラー文書送信設定よりも優先してインターネットＦＡＸ文書に含まれる画像ファイルの形式を自動的に切り替えて指定された宛先に送信する送信部とを備えることを特徴とする。
【０００７】
このインターネットＦＡＸ装置によると、ＴＩＦＦ−ＦＸ（カラー）をサポートしている宛先にはＴＩＦＦ−ＦＸファイル形式が、そうでない宛先に対してはＴＩＦＦ（モノクロ）ファイル形式が、自動的に選択されて送信されるため、受信側で適切に処理することができる。
【０００８】
特開２００２−２４７３８８号公報（特許文献２）に開示されたインターネットＦＡＸ装置は、カラー画像を読取可能なスキャナ部と、モノクロデータをファクシミリ送信する送信プロトコルを備えたファクシミリ制御部と、モノクロ印字出力部と、画像メモリと、画像メモリに蓄積されたカラー画像データをモノクロ画像データに変換した後にファクシミリ制御部へデータを送る制御部とを備えることを特徴とする。
【０００９】
このインターネットＦＡＸ装置によると、カラー画像データをモノクロ画像データに変換することにより、カラー画像を無効にすることなくインターネットＦＡＸによりモノクロ画像のデータ送信が可能になる。
【００１０】
特開２００３−１８３８２号公報（特許文献３）に開示されたインターネットＦＡＸ装置は、原稿のページでフォーマットが異なるオリジナル画像データについて、複数のパラメータからなるフォーマット情報を形成する形成部と、オリジナル画像データのフォーマット情報をパラメータの水準が低い基本フォーマット情報に変換する変換部と、オリジナル画像データについて最も水準が高いパラメータを抽出して変更されたオリジナル画像データの変更フォーマット情報を形成する形成部と、基本フォーマット情報および変更フォーマット情報を受信側に送信する送信部と、変更フォーマット情報に基づいて受信側から指定される指定フォーマット情報を受信する受信部と、基本フォーマット情報を受信側からの指定フォーマット情報に変換する変換部と、指定フォーマット情報に基づく画像データを受信側に再送信する再送信部とを備えることを特徴とする。
【００１１】
このインターネットＦＡＸ装置によると、受信側の受信能力に適合したフォーマット情報で画像データを送信することができる。
【００１２】
特開２００２−４４３５８号公報（特許文献４）に開示されたインターネットＦＡＸ装置は、画像を所望の解像度で読取ることにより画像データを生成する画像データ生成部と、画像データ生成部で生成した画像データを電子メールで送信できるように変換する画像データ変換部と、画像データ変換部によって変換された画像データを添付した電子メールをネットワークに送信する送信部と、ネットワークより電子メールを受信する受信部とを備える。このインターネットＦＡＸ装置は、受信部によって受信した電子メールを解析した結果、受信した電子メールが送信部により送信された電子メール（画像データ添付）の送信異常を知らせる通知であり、送信異常の原因が送信可能なデータ量を超えて電子メールが送信されたためであると解析された場合に、画像データを添付した電子メールから画像データを再生する画像データ再生部と、画像データ再生部によって再生された画像データに送信異常を避けるための所定の処理を行なう処理部と、処理部によって処理された画像データを画像データ変換部により変換し、変換された画像データを添付した電子メールを送信部により再送信するように制御する再送信制御部とを備えることを特徴とする。
【００１３】
このインターネットＦＡＸ装置によると、画像データを電子メールで送信できるように変換し、この変換された画像データを電子メールに添付して送受信する。このインターネットＦＡＸ装置は、送信した電子メールに送信異常が発生したことを知らせる通知を受信すると、送信異常の原因を解析する。その原因が送信可能なデータ量を超えて送信されたためと解析された場合に、ユーザの介在なしに、送信した電子メールから画像データを再生し、この画像データに送信異常を避けるための所定の処理を行なってから、再度この画像データを電子メールに添付して再送信する。このため、送信異常の通知を受信した場合に、難解な通知内容をユーザが理解する必要なく、発生した通信エラーを解消することができる。
【先行技術文献】
【特許文献】
【００１４】
【特許文献１】特開２００７−１３５０７４号公報
【特許文献２】特開２００２−２４７３８８号公報
【特許文献３】特開２００３−１８３８２号公報
【特許文献４】特開２００２−４４３５８号公報
【発明の概要】
【発明が解決しようとする課題】
【００１５】
しかしながら、特許文献１は、カラー文書をｉ−ＦＡＸで送信する場合に、送信相手先の能力に応じて、ＴＩＦＦファイル形式で送信するか、ＴＩＦＦ−ＦＸファイル形式で送信するかを選択して送信する技術を開示したものに過ぎない。これでは、相手側である受信側のＭＦＰの仕様が予め判明している必要がある。特許文献２は、ｉ−ＦＡＸにおいて、カラー画像データを白黒画像データに一律に変換して送信する技術を開示したものに過ぎない。これでは、カラーの画像データをｉ−ＦＡＸで通信することができない。特許文献３は、ｉ−ＦＡＸにおいて、送信時に相手先からのフォーマット指定（解像度、用紙サイズ、データ圧縮方式など）により、画像を変換して送信する技術を開示したものに過ぎない。これでは、相手側である受信側のＭＦＰの仕様を受信して、その仕様に適合した画像データに変換して再送信しなければならない。特許文献４は、ｉ−ＦＡＸにおいて通信エラーが発生した場合にデータ量を減らした画像データを再送信する技術を開示したものに過ぎない。これでは、カラー原稿をｉ−ＦＡＸにより送信する場合に適用することができない。
【００１６】
このように、従来の技術では、ｉ−ＦＡＸでカラー原稿を送信する場合には、予め受信側の能力を知っておく必要があるので、送信側での送信前処理が煩雑になり手間がかかるという課題があった。また、ｉ−ＦＡＸにおいては電話回線を用いた従来のファクシミリ通信と異なり、送信した画像データが受信側で処理できるか否かに関わらず送信が完了するため、正常に送信されたと送信側では判断するが、受信側では受信した画像データが処理できない場合がある。このような場合には、受信側から送信側に連絡して、受信側で処理（印刷、表示、転送等）できるフォーマットに変更して再送信して貰う必要があり、送信側および受信側での処理が煩雑になるという課題がある。
【００１７】
また、特許文献４においては、受信側の電子メールサーバがデータ受信中にデータ受信長の制限を超えてデータを受信すると、受信データ長の制限を超えた旨のサーバ異常応答を送信側のインターネットＦＡＸ装置に送信する。このサーバ異常応答を受信したインターネットＦＡＸ装置が、画像データの解像度を低くしてデータ量が減った画像データを再送信する。この技術では、受信側のインターネットＦＡＸ装置がカラー原稿を受信して処理できない場合における課題を解決できない。
【００１８】
そこで、本発明は、上述の課題を解決するために、カラーの画像データをインターネットファクス通信する画像通信装置であって、受信側の画像通信装置でカラー画像データの処理が可能であるか否かを予め把握することなく、送信側および受信側の双方に煩雑な操作を要求しないで通信できる、画像通信装置を提供することである。
【課題を解決するための手段】
【００１９】
本発明のある局面に係るインターネットファクス機能を備えた画像通信装置は、画像データを記憶するための記憶手段と、画像データが添付された電子メールを送信するための送信手段と、送信する画像データがカラー形式である場合に、送信された画像データを受信側装置が受信したか否かを判定するための判定手段と、電子メールの送信先である受信側装置が画像データを受信していないと判定された場合に、画像データをモノクロ形式へ変換するための変換手段と、モノクロ形式へ変換された画像データを送信するように、送信手段を制御するための制御手段とを含む。
【００２０】
送信側の画像通信装置において、カラーの画像データが添付された電子メールを送信する場合には、送達確認機能（たとえば、受信が正常に完了すると受信側から送信側へ送達確認情報が送信される機能、または、受信が正常に完了しないと受信側から送信側へ通信エラー情報が送信される機能）等を用いて、送信された画像データを受信側装置が受信したか否かが判定される。受信側の画像通信装置がカラーのインターネットファクスに対応している場合には、送達を確認することができるので、カラーの画像データをインターネットファクス機能で正常に送信することができる。一方、受信側の画像通信装置がカラーのインターネットファクスに対応していない場合（モノクロのインターネットファクスに対応している場合）には、送達を確認することができないので、モノクロ形式へ変換された画像データが再送信される。このため、受信側の画像通信装置がインターネットファクスにおけるカラーの画像データについての処理が可能であるか否かを予め把握することなく、送信側および受信側の双方に煩雑な操作を要求しないで、カラー画像データを通信することができる。
【００２１】
この画像通信装置の判定手段は、画像データを正常に受信したことを示す情報を送信するように受信側装置へ要求するための手段と、情報を受信側装置から受信するための手段と、情報を受信側装置から受信しない場合に、受信側装置が画像データを受信していないと判定するための手段とを含むように構成することができる。
【００２２】
送達確認機能として、画像データを正常に受信したことを示す情報を送信するように受信側装置へ要求しておいて、たとえば送信してから予め定められた時間内にその情報を受信しないと、受信側装置が画像データを受信していないと判定することができる。
【００２３】
この画像通信装置の判定手段は、画像データを正常に受信しなかったことを示す情報を送信するように受信側装置へ要求するための手段と、情報を受信側装置から受信するための手段と、情報を受信側装置から受信した場合に、受信側装置が画像データを受信していないと判定するための手段とを含むように構成することができる。
【００２４】
送達確認機能として、画像データを正常に受信しなかったことを示す情報を送信するように受信側装置へ要求しておいて、その情報を受信すると、受信側装置が画像データを受信していないと判定することができる。
【００２５】
受信側装置から受信する情報は、画像データの形式が受信側装置の機器仕様に合致しているか否かに基づいて、受信側装置により生成される情報であるように構成することができる。
【００２６】
受信側の画像通信装置においては、画像データの形式がカラーであるときに、受信側装置のインターネットファクス仕様でカラー対応と規定している場合には、画像データを正常に受信したことを示す情報が送信され、受信側装置のインターネットファクス仕様でモノクロ対応と規定している場合には、画像データを正常に受信しなかったことを示す情報が送信される。このようにして、画像データの形式と画像通信装置の仕様との合致に基づいて情報が生成されて送信される。
【００２７】
この画像通信装置は、原稿をスキャンして画像データを生成するための手段と、送信する画像データがカラー形式であるか否かを、送信時に判定するための手段とをさらに含むように構成することができる。
【００２８】
このようにすると、原稿をスキャンしてカラーの画像データを生成しておいて、カラーの画像データを送信するのかモノクロの画像データを送信するのかを送信時に決定することができる。送信時に、カラーの画像データを送信すると決定したときに送達確認機能が有効に（自動的に）設定される。このため、送信時にカラーの画像データを送信すると決定する度に、送達確認機能を有効に手動で設定する操作が必要ない。
【００２９】
この画像通信装置は、他の装置から転送された画像データを受信するための手段と、転送された画像データの形式を維持して、送信する画像データを設定するための手段とをさらに含むように構成することができる。
【００３０】
このようにすると、他の装置から転送された画像データの形式が維持されるので、第１の画像通信装置から転送された画像データを、そのままの形式で第２の画像通信装置から第３の画像通信装置へ送信することができる。
【発明の効果】
【００３１】
本発明に係る画像通信装置によると、カラー原稿をインターネットファクス通信する場合において、受信側の画像通信装置でカラー画像データの処理が可能であるか否かを予め把握することなく、送信側および受信側の双方に煩雑な操作を要求しないで、インターネットファクス通信することができる。
【図面の簡単な説明】
【００３２】
【図１】本発明の実施の形態に係る画像形成装置（ＭＦＰ）を含んで構成されるネットワーク画像通信システムの全体構成を示す図である。
【図２】図１のＭＦＰのハードウェア構成を示す制御ブロック図である。
【図３】図１のＭＦＰで実行されるプログラムの制御構造を示すフローチャートである。
【図４】図１のＭＦＰのタッチパネルディスプレイの表示例を示す図である。
【発明を実施するための形態】
【００３３】
以下の実施の形態では、同一の部品には同一の参照番号を付してある。それらの機能および名称も同一である。従って、それらについての詳細な説明は繰返さない。
【００３４】
本発明の実施の形態においては、画像通信装置は画像処理装置の１種である画像形成装置であって、送信側の画像形成装置と受信側の画像形成装置とがインターネット回線で接続された画像通信システムを説明する。なお、この画像形成装置は、ＭＦＰとして説明する。しかしながら、本実施の形態に係る画像通信装置は、このような画像形成装置以外の画像処理装置であってもよく、カラースキャナを備え、カラースキャナで読み込んだ原稿の画像データを電子メールに添付してインターネット回線を経由して通信するｉ−ＦＡＸ通信機能を備えた装置であればよい。
【００３５】
［全体システム構成］
図１を参照して、本発明の実施の形態に係るネットワーク画像通信システムの全体構成について説明する。このネットワーク画像通信システムは、送信側のＭＦＰ（１）３００と、受信側のＭＦＰ（２）３００と、ＭＦＰ（２）とネットワーク回線１００で接続されたＭＦＰ（３）３００と、これらのＭＦＰを接続するインターネット回線２００とで構成される。
【００３６】
送信側のＭＦＰ（１）３００は、ｉ−ＦＡＸモードで、画像データが添付された電子メールをインターネット回線２００を経由して、受信側のＭＦＰ（２）３００へ送信する。受信側においては、ＭＦＰ（２）３００とＭＦＰ（３）３００とは、たとえばＩＥＥＥ８０２．３に準拠したネットワーク回線１００により通信ができるように接続されている。なお、同じ符号を付したＭＦＰは、同じ機能を備えた画像形成装置である必要はないが、いずれのＭＦＰも、ｉ−ＦＡＸ機能を備える。また、本実施の形態においては、送信側のＭＦＰ（１）３００から受信側のＭＦＰ（２）３００が受信する。さらに、後述するように、受信側のＭＦＰ（２）３００は、カラーのｉ−ＦＡＸ対応機であるとして説明したり、モノクロのｉ−ＦＡＸ対応機であるとして説明したりする。
【００３７】
本実施の形態に係る、送信側のＭＦＰ（１）３００は、カラー送信モードでｉ−ＦＡＸされる場合には、受信側のＭＦＰ（２）３００が正常に画像データを受信したことを示す送達確認情報を受信側のＭＦＰ（２）３００から送信側のＭＦＰ（１）３００へ送信する機能を有効にして、送達を確認できないと（受信完了情報を受信しなかったり受信失敗情報を受信したりすると）、カラーの画像データをモノクロへ変換して、モノクロ送信モードで画像データを再送信する。なお、本実施の形態に係るネットワーク画像通信システムにおける、ＭＦＰ３００の台数は、図１に記載された台数に限定されない。
【００３８】
［ハードウェア構成］
＜ＭＦＰ３００＞
−ＭＦＰの構成−
図２を参照して、本実施の形態に係るネットワーク画像通信システムを構成するＭＦＰ３００（ここでは、ＭＦＰ（１）３００、ＭＦＰ（２）３００、ＭＦＰ（３）３００の構成は同じであるとする）は、バス３９０と、バス３９０に接続されたＣＰＵ３１０と、バス３９０に接続されたＲＯＭ３２０と、バス３９０に接続されたＲＡＭ３３０と、バス３９０に接続されたハードディスク（ＨＤＤ）３４０と、バス３９０に接続され、タッチパネルディスプレイ３８０との間の接続に関するインターフェイスを提供するための入力Ｉ／Ｆ３５０およびディスプレイＩ／Ｆ３６０と、バス３９０に接続され、有線または無線（本実施の形態においては有線）によりネットワーク回線１００およびインターネット回線２００への接続を提供するネットワークＩ／Ｆ３７０とを含む。
【００３９】
バス３９０、ＲＯＭ３２０、ＲＡＭ３３０、ハードディスク３４０、入力Ｉ／Ｆ３５０、ディスプレイＩ／Ｆ３６０およびネットワークＩ／Ｆ３７０は、いずれもＣＰＵ３１０の制御のもとに協調して動作し、ＭＦＰ３００において、プリント処理、ＦＡＸ送受信処理、スキャナ処理およびコピー処理ならびにアプリケーションによる処理を実現する。なお、これらの処理は、図２においては図示していないＭＦＰ３００を構成する各部品がＣＰＵ３１０により制御されて実行される。また、アプリケーションは、ｉ−ＦＡＸにおいて他のＭＦＰへカラー送信モードで原稿を送信するように要求された場合に、送達確認機能を有効にして、通信が正常に終了しないとカラーの画像データをモノクロへ変換して、変換された画像データを再送信する処理を含む。
【００４０】
ＭＦＰ３００に、本実施の形態に係るネットワーク画像通信システムにおける画像形成装置としての動作を行なわせるためのコンピュータプログラムは、ハードディスク３４０に記憶される。または、プログラムはネットワーク回線１００およびインターネット回線２００を通じてアプリケーションを提供するサーバコンピュータから送信されハードディスク３４０に記憶されてもよい。プログラムは実行の際にＲＡＭ３３０にロードされる。ネットワーク回線１００およびインターネット回線２００を介して、直接にＲＡＭ３３０にプログラムをロードしてもよい。
【００４１】
−ＭＦＰにおける画像形成部−
ＭＦＰ３００は、たとえば、原稿読取部、画像形成部、給紙部、および排紙処理装置を備える。ＭＦＰ３００においては、他の装置から受信した画像データまたは原稿読取部により読取られた原稿の画像データに対して、ＣＰＵ３１０により各種の画像処理が施され、この画像データが画像形成部へと出力される。なお、このＭＦＰ３００は、レーザー光を露光に利用する、所謂レーザー方式（電子写真方式）の印刷機能を備える。しかしながら、他の形式の印刷機能を備えたものであっても構わない。また、原稿読取部は、カラーモードで原稿を読み取って、カラーの画像データを生成することができる（原稿がカラーの場合）。
【００４２】
画像形成部は、画像データによって示される画像を記録用紙に印刷するものであって、画像データがカラーであればカラー画像が印刷される。画像形成部は、たとえば、感光体ドラム、帯電装置、レーザースキャンユニット、現像装置、転写装置、クリーニング装置、定着装置、および除電装置等を備えている。画像形成部には、たとえば、搬送路が設けられており、給紙部から給紙されてきた記録用紙が搬送路に沿って搬送される。給紙部は、用紙カセットに収納された記録用紙、または手差トレイに載置された記録用紙を１枚ずつ引出して記録用紙を画像形成部の搬送路へと送り出す。
【００４３】
画像形成部の搬送路に沿って記録用紙が搬送されている途中で、記録用紙が感光体ドラムと転写装置との間を通過し、更に定着装置を通過して、記録用紙に対する印刷が行なわれる。
【００４４】
感光体ドラムは、一方向に回転し、その表面は、クリーニング装置と除電装置によりクリーニングされた後、帯電装置により均一に帯電される。レーザースキャンユニットは、印刷対象の画像データに基づいてレーザー光を変調し、このレーザー光によって感光体ドラムの表面を主走査方向に繰返し走査して、静電潜像を感光体ドラムの表面に形成する。現像装置は、トナーを感光体ドラムの表面に供給して静電潜像を現像し、トナー像を感光体ドラムの表面に形成する。
【００４５】
転写装置は、転写装置と感光体ドラムとの間を通過していく記録用紙に感光体ドラムの表面のトナー像を転写する。定着装置は、記録用紙を加熱するための加熱ローラと、記録用紙を加圧するための加圧ローラとを含む。記録用紙は、加熱ローラによって加熱され、かつ、加圧ローラによって加圧されることによって、記録用紙上に転写されたトナー像が記録用紙に定着される。定着装置から排出された（印刷された）記録用紙は、排紙トレイに排出される。排紙処理装置においては、複数の記録用紙を各排紙トレイに仕分けして排出する処理、各記録用紙にパンチングする処理、および記録用紙の束にステープルする処理を施す場合がある。たとえば、複数部の印刷物を作成する場合は、各排紙トレイに印刷物の一部ずつが割り当てられるように、各記録用紙を各排紙トレイに仕分けして排出し、排紙トレイごとに、各排紙トレイ上の記録用紙の束にパンチング処理またはステープル処理を施して印刷物を作成する。このような様々な処理が、ＣＰＵ３１０による制御の元で行なわれる。なお、パンチング処理は、記録用紙１枚ずつに対して行なうようにしても構わない。
【００４６】
−ＭＦＰの基本機能（モード）−
このＭＦＰ３００は、上述した画像形成部を用いて、ネットワーク回線１００を介して、ネットワーク回線１００に接続されたコンピュータからプリントデータを受信して記録用紙にカラー画像またはモノクロ画像を形成するプリンタモードを実現する。
【００４７】
さらに、このＭＦＰ３００は、原稿読取部により原稿を画像データとして読取って、この画像データに基づいて記録用紙にカラー画像またはモノクロ画像を形成するコピーモードを実現する。
【００４８】
さらに、このＭＦＰ３００は、原稿読取部により原稿を画像データとして読取って、この画像データを他の装置へ電話回線を経由して送信するファクシミリ送信モードを実現する。なお、このＭＦＰ３００は、他の装置から受信した画像データに基づいて記録用紙に画像を形成するファクシミリ受信モードも実現する。
【００４９】
さらに、このＭＦＰ３００は、他の装置からインターネット回線２００を経由して、画像データが添付された電子メールを受信するｉ−ＦＡＸ受信モードを実現する。このＭＦＰ３００は、他の装置から受信した電子メールに添付された画像データに基づいて記録用紙に画像を形成する。なお、このＭＦＰ３００は、他のＭＦＰへインターネット回線２００を経由して、画像データが添付された電子メールを送信するｉ−ＦＡＸ送信モードも実現する。
【００５０】
［ソフトウェア構成］
【００５１】
本実施の形態に係るネットワーク画像通信システムを構成するＭＦＰ（１）３００は、ｉ−ＦＡＸモードにおいてカラーの画像データが添付された電子メールを受信側のＭＦＰ（２）３００へ送信する場合に、送達確認機能を有効にしてから電子メールを送信する。送達確認機能により送達が確認できない場合または通信エラーを検出した場合に、画像データをモノクロへ変換して再送信する処理が実行されるように、以下に説明するプログラムをＣＰＵ３１０で実行する。図３を参照して、送信側のＭＦＰ（１）３００および受信側のＭＦＰ（２）３００で実行されるコンピュータプログラムの制御構造について説明する。
【００５２】
なお、このようなコンピュータプログラムと並行して、ＭＦＰ３００は、画像形成装置（複合機）としての一般的機能を実現するプログラムを実行する。しかしながら、そのプログラムは、本発明の本質的部分とは直接関係するものではないので、その詳細についてはここでは説明しない。また、本実施の形態においては、画像データのフォーマット（ＴＩＦＦ−Ｃ、ＴＩＦＦ−Ｆ）が機器仕様（カラーのｉ−ＦＡＸ対応機、モノクロのｉ−ＦＡＸ対応機）と合致しない場合以外の通信エラーは考慮しないものとする。
【００５３】
図３の左側に示すプログラムは、ＭＦＰ（１）３００のＣＰＵ３１０（以下「ＣＰＵ３１０」と記載する。）において実行される。ステップ（以下、ステップをＳと略す。）３０００にて、ＣＰＵ３１０は、インターネットＦＡＸの送信が要求されたか否かを判定する。このとき、ＣＰＵ３１０は、たとえば、タッチパネルディスプレイ３８０に表示されたメニュー画面（ホーム画面）において、ｉ−ＦＡＸを示すアイコンがユーザにより押下されると、インターネットＦＡＸの送信が要求されたと判定する。インターネットＦＡＸの送信が要求されたと判定されると（Ｓ３０００にてＹＥＳ）、処理はＳ３０１０へ移される。もしそうでないと（Ｓ３０００にてＮＯ）、この処理はＳ３０００へ戻されて、インターネットＦＡＸの送信が要求されるまで待つ。なお、このプログラムが実行されるまでに、原稿読取部により原稿が読取られて画像データが生成されているものとする。この原稿読取部では、カラー送信モードでｉ−ＦＡＸ送信されるか否かに関わらず、カラーモードで原稿をスキャンする。また、原稿読取部で原稿が読取られて生成された画像データではなく、他の画像通信装置から転送された画像データを、フォーマット（ＴＩＦＦ−Ｃ、ＴＩＦＦ−Ｆ）を維持したままで、送信する画像データとしても構わない。
【００５４】
Ｓ３０１０にて、ＣＰＵ３１０は、タッチパネルディスプレイ３８０に送信画面を表示する。このとき、タッチパネルディスプレイ３８０に表示される送信画面には、モノクロ送信モードでｉ−ＦＡＸ送信するソフトウェアボタン（後述する「ＭＯＮＯ  ＳＴＡＲＴ」ボタン）と、カラー送信モードでｉ−ＦＡＸ送信するソフトウェアボタン（後述する「ＣＯＬＯＲ  ＳＴＡＲＴ」ボタン）とが表示される。なお、モノクロ送信モードでｉ−ＦＡＸ送信する場合には、ファイルフォーマットはＴＩＦＦ−Ｆ形式であって、カラー送信モードでｉ−ＦＡＸ送信する場合には、ファイルフォーマットはＴＩＦＦ−Ｃ形式であるとする。しかしながら、これらのファイルフォーマットは例であって、本発明が、これら以外のファイルフォーマットに適用できないことを意味するものではない。
【００５５】
Ｓ３０２０にて、ＣＰＵ３１０は、カラー送信モードが選択されたか否かを判定する。このとき、ＣＰＵ３１０は、タッチパネルディスプレイ３８０に表示された「ＣＯＬＯＲ  ＳＴＡＲＴ」ボタン（ソフトウェアボタン）がユーザにより押下されると、カラー送信モードが選択されたと判定する。カラー送信モードが選択されたと判定されると（Ｓ３０２０にてＹＥＳ）、処理はＳ３０３０へ移される。もしそうでないと（Ｓ３０２０にてＮＯ）、この処理はＳ３０４０へ移される。
【００５６】
Ｓ３０３０にて、ＣＰＵ３１０は、送達確認機能を有効に設定する。その後、処理はＳ３０５０へ移される。なお、この送達確認機能は、デフォルトでは無効であるとする。また、この送達確認が有効に設定されていると、後述するように、受信側のＭＦＰ（２）３００は、受信が正常に終了すると、送信側のＭＦＰ（１）３００へ送達確認情報を送信する。
【００５７】
Ｓ３０４０にて、ＣＰＵ３１０は、ｉ−ＦＡＸでモノクロ送信を実行する。このとき、ＣＰＵ３１０は、画像データのフォーマットを、モノクロのｉ−ＦＡＸ形式（ＴＩＦＦ−Ｆフォーマット）へ変換して、その画像データを電子メールへ添付して送信する。その後、この処理は終了する。
【００５８】
Ｓ３０５０にて、ＣＰＵ３１０は、ｉ−ＦＡＸでカラー送信を実行する。このとき、ＣＰＵ３１０は、画像データのフォーマットを、カラーのｉ−ＦＡＸ形式（ＴＩＦＦ−Ｃフォーマット）へ変換して、その画像データを電子メールへ添付して送信する。
【００５９】
Ｓ３０６０にて、ＣＰＵ３１０は、受信側のＭＦＰ（２）３００から送達確認情報を受信したか否かを判定する。受信側のＭＦＰ（２）３００から送達確認情報を受信したと判定されると（Ｓ３０６０にてＹＥＳ）、処理は終了する。もしそうでないと（Ｓ３０６０にてＮＯ）、この処理はＳ３０７０へ移される。
【００６０】
Ｓ３０７０にて、ＣＰＵ３１０は、受信側のＭＦＰ（２）３００へｉ−ＦＡＸで送信してから予め定められた時間が経過したか否かを判定する。送信してから予め定められた時間が経過したと判定されると（Ｓ３０７０にてＹＥＳ）、処理はＳ３０８０へ移される。もしそうでないと（Ｓ３０７０にてＮＯ）、この処理はＳ３０６０へ戻されて、受信側のＭＦＰ（２）３００から送達確認情報を受信したと判定されるまで待つ。
【００６１】
Ｓ３０８０にて、ＣＰＵ３１０は、画像データのフォーマットを、モノクロのｉ−ＦＡＸ形式（ＴＩＦＦ−Ｆフォーマット）へ変換して、その画像データを電子メールへ添付して再送信する。その後、処理はＳ３０６０へ戻される。
【００６２】
図３の右側に示すプログラムは、ＭＦＰ（２）３００のＣＰＵ３１０（上記したＣＰＵ３１０と異なるプログラムを実行することを考慮して、以下「ＣＰＵ３１２」と記載する。）において実行される。Ｓ３１００にて、ＣＰＵ３１２は、インターネットＦＡＸを受信したか否かを判定する。インターネットＦＡＸを受信したと判定されると（Ｓ３１００にてＹＥＳ）、処理はＳ３１１０へ移される。もしそうでないと（Ｓ３１００にてＮＯ）、この処理はＳ３１００へ戻されて、インターネットＦＡＸを受信したと判定されるまで待つ。
【００６３】
Ｓ３１１０にて、ＣＰＵ３１２は、画像データのフォーマットを取得する。このとき、ＣＰＵ３１２は、たとえば、電子メールに添付された画像データのフォーマットを含む画像情報（タグ）を取得する。このとき、画像情報の中から、画像データのフォーマットとして、ＴＩＦＦ−Ｃ（カラー）またはＴＩＦＦ−Ｆ（モノクロ）を取得する。
【００６４】
Ｓ３１２０にて、ＣＰＵ３１２は、取得したフォーマットが機器仕様に合致しているか否かを判定する。このとき、ＣＰＵ３１２は、機器仕様としてＴＩＦＦ−Ｃが設定されていると（すなわち、このＭＦＰ（２）３００がカラーのｉ−ＦＡＸ対応機であると）、取得したフォーマットがＴＩＦＦ−Ｃ（カラー）またはＴＩＦＦ−Ｆ（モノクロ）である場合に機器仕様に合致していると判定し、機器仕様としてＴＩＦＦ−Ｆが設定されていると（すなわち、このＭＦＰ（２）３００がモノクロのｉ−ＦＡＸ対応機であると）、取得したフォーマットがＴＩＦＦ−Ｆ（モノクロ）である場合に機器仕様に合致していると判定する。一方、ＣＰＵ３１２は、機器仕様としてＴＩＦＦ−Ｆが設定されていると（すなわち、このＭＦＰ（２）３００がモノクロのｉ−ＦＡＸ対応機であると）、取得したフォーマットがＴＩＦＦ−Ｃ（カラー）である場合に機器仕様に合致していないと判定する。取得したフォーマットが機器仕様に合致していると判定されると（Ｓ３１２０にてＹＥＳ）、処理はＳ３１３０へ移される。もしそうでないと（Ｓ３１２０にてＮＯ）、この処理は終了する。このため、Ｓ３１２０にてＮＯの場合には、送達確認情報が送信側のＭＦＰ（１）３００へ送信されない。
【００６５】
Ｓ３１３０にて、ＣＰＵ３１２は、受信した電子メール（画像データ添付）についての送達確認が有効に設定されているか否かを判定する。送達確認が有効に設定されていると判定されると（Ｓ３１３０にてＹＥＳ）、処理はＳ３１４０へ移される。もしそうでないと（Ｓ３１３０にてＮＯ）、この処理は終了する。
【００６６】
Ｓ３１４０にて、ＣＰＵ３１２は、送信側のＭＦＰ（１）３００へ、送達確認情報を送信する。この送達確認情報は、ｉ−ＦＡＸ原稿を正常に受信したことを示すものである。その後、処理は終了する。
【００６７】
なお、受信側のＭＦＰ（２）３００で実行されるＳ３１１０〜Ｓ３１４０の処理（送達確認機能に対応する処理）は、ｉ−ＦＡＸで送達確認機能が有効に設定された電子メールを受信したＭＦＰにおいて実行される一般的な処理であって、本発明に適合するように説明している。
【００６８】
［動作］
以上のような構造およびフローチャートに基づく、本実施の形態に係るネットワーク画像通信システムの動作について説明する。
【００６９】
＜受信側ＭＦＰ（１）３００がカラーのｉ−ＦＡＸ対応機である場合＞
以下に、ｉ−ＦＡＸモードで、ＴＩＦＦ−Ｃフォーマットの画像データが添付された電子メールを、カラーのｉ−ＦＡＸ対応機であるＭＦＰ（２）３００へ送信した場合の動作を説明する。
【００７０】
送信側のＭＦＰ（１）３００において、タッチパネルディスプレイ３８０に表示されたメニュー画面（ホーム画面）において、ユーザが、ｉ−ＦＡＸを示すアイコンを押下すると（Ｓ３０００にてＹＥＳ）、タッチパネルディスプレイ３８０にはｉ−ＦＡＸの送信画面が表示される（Ｓ３０１０）。このとき、タッチパネルディスプレイ３８０には、たとえば、図４に示す画面が表示される。なお、図４の中央部には、原稿読取部でカラー原稿をカラーモードでスキャンして生成された画像データに対応する縮小イメージが表示されている。タッチパネルディスプレイ３８０がカラーに対応しているので、この縮小イメージはカラーで表示されているものとする。
【００７１】
ユーザが、送信先および送信条件を指定して、図４に示す「ＣＯＬＯＲ  ＳＴＡＲＴ」ボタン（ソフトウェアボタン）を押下すると（Ｓ３０２０にてＹＥＳ）、送達確認機能が有効に設定される（Ｓ３０３０）。その後、カラーの画像データがカラーのｉ−ＦＡＸ形式（ＴＩＦＦ−Ｃフォーマット）へ変換されて、その画像データが電子メールへ添付されて送信される（Ｓ３０５０）。
【００７２】
このような送信側のＭＦＰ（１）３００の動作により、受信側のＭＦＰ（２）３００においては、インターネットＦＡＸを受信したと判定される（Ｓ３１００にてＹＥＳ）。受信した電子メールに添付された画像データのフォーマットを含む画像情報（タグ）が取得され、画像データのフォーマットとして、ＴＩＦＦ−Ｃ（カラー）が取得される（Ｓ３１１０）。
【００７３】
ＭＦＰ（２）３００は、機器仕様としてＴＩＦＦ−Ｃが設定されているので（カラーのｉ−ＦＡＸ対応機であるので）、取得したフォーマットが機器仕様に合致していると判定される（Ｓ３１２０にてＹＥＳ）。ここで、図４に示す「ＣＯＬＯＲ  ＳＴＡＲＴ」ボタン（ソフトウェアボタン）がユーザにより押下されて、送達確認機能が有効に設定されているので（Ｓ３１３０にてＹＥＳ）、送達確認情報が送信側のＭＦＰ（１）３００へ送信される（Ｓ３１４０）。
【００７４】
このような受信側のＭＦＰ（２）３００の動作により、送信側のＭＦＰ（１）３００においては、ｉ−ＦＡＸ送信から予め定められた時間内に送達確認情報を受信して（Ｓ３０６０にてＹＥＳ）、送信動作を終了する。
【００７５】
なお、受信側のＭＦＰ（２）３００においては、インターネットＦＡＸ受信後の処理として、たとえば、画像形成部を用いて受信した画像データを記録用紙に印刷したり、ネットワーク回線１００で接続された他のＭＦＰ（３）３００へ、受信した画像データを転送したりする。
【００７６】
＜受信側ＭＦＰ（１）３００がカラーのｉ−ＦＡＸ対応機でない場合＞
以下に、ｉ−ＦＡＸモードで、ＴＩＦＦ−Ｃフォーマットの画像データが添付された電子メールを、モノクロのｉ−ＦＡＸ対応機であるＭＦＰ（２）３００へ送信した場合の動作を説明する。なお、ＴＩＦＦ−Ｃフォーマットの画像データを電子メールへ添付して送信するまでの動作は、上述した動作と同じであるので、ここでは繰返さない。
【００７７】
送信側のＭＦＰ（１）３００の動作により、受信側のＭＦＰ（２）３００においては、インターネットＦＡＸを受信したと判定される（Ｓ３１００にてＹＥＳ）。受信した電子メールに添付された画像データのフォーマットを含む画像情報（タグ）が取得され、画像データのフォーマットとして、ＴＩＦＦ−Ｃ（カラー）が取得される（Ｓ３１１０）。
【００７８】
ＭＦＰ（２）３００は、機器仕様としてＴＩＦＦ−Ｆが設定されているので（モノクロのｉ−ＦＡＸ対応機であるので）、取得したフォーマットが機器仕様に合致していないと判定される（Ｓ３１２０にてＮＯ）。
【００７９】
ここで、図４に示す「ＣＯＬＯＲ  ＳＴＡＲＴ」ボタン（ソフトウェアボタン）がユーザにより押下されて（Ｓ３０２０にてＹＥＳ）、送達確認機能が有効に設定されている（Ｓ３１３０）が、取得したフォーマットが機器仕様に合致していないと判定されて（Ｓ３１２０にてＮＯ）、動作が終了する。すなわち、受信側のＭＦＰ（２）３００は、送達確認情報を送信側のＭＦＰ（１）３００へ送信しないで、この動作（このサブルーチンプログラムで規定される動作）を終了して、インターネットＦＡＸの次の受信を待つ（Ｓ３１００）。
【００８０】
このような受信側のＭＦＰ（２）３００の動作により、送信側のＭＦＰ（１）３００においては、ｉ−ＦＡＸ送信から予め定められた時間内に送達確認情報を受信することができない（Ｓ３０６０にてＮＯかつＳ３０７０にてＹＥＳ）。送信側のＭＦＰ（１）３００においては、画像データのフォーマットをモノクロのｉ−ＦＡＸ形式（ＴＩＦＦ−Ｆフォーマット）へ変換して、その画像データを電子メールへ添付して再送信する（Ｓ３１８０）。
【００８１】
このような送信側のＭＦＰ（１）３００の再送信動作により、受信側のＭＦＰ（２）３００においては、インターネットＦＡＸを受信したと判定される（Ｓ３１００にてＹＥＳ）。受信した電子メールに添付された画像データのフォーマットを含む画像情報（タグ）が取得され、画像データのフォーマットとして、ＴＩＦＦ−Ｆ（モノクロ）が取得される（Ｓ３１１０）。
【００８２】
ＭＦＰ（２）３００は、機器仕様としてＴＩＦＦ−Ｆが設定されているので（モノクロのｉ−ＦＡＸ対応機であるので）、取得したフォーマットが機器仕様に合致していると判定される（Ｓ３１２０にてＹＥＳ）。ここで、送達確認機能が有効に設定されていることが保持されており（Ｓ３１３０にてＹＥＳ）、送達確認情報が送信側のＭＦＰ（１）３００へ送信される（Ｓ３１４０）。
【００８３】
このような受信側のＭＦＰ（２）３００の動作により、送信側のＭＦＰ（１）３００においては、ｉ−ＦＡＸ送信から予め定められた時間内に送達確認情報を受信して（Ｓ３０６０にてＹＥＳ）、再送信動作を終了する。
【００８４】
＜モノクロの画像データが添付された電子メールを送信した場合＞
以下に、ｉ−ＦＡＸモードで、ＴＩＦＦ−Ｆフォーマットの画像データが添付された電子メールを、ｉ−ＦＡＸ対応機であるＭＦＰ（２）３００へ送信した場合の動作を説明する。この場合、受信側のＭＦＰ（２）３００がカラーのｉ−ＦＡＸ対応機であってもモノクロのｉ−ＦＡＸ対応機であっても、同じ動作となる。なお、図４に示す画面がタッチパネルディスプレイ３８０に表示されるまでの動作は、上述した動作と同じであるので、ここでは繰返さない。
【００８５】
ユーザが、送信先および送信条件を指定して、図４に示す「ＭＯＮＯ  ＳＴＡＲＴ」ボタン（ソフトウェアボタン）を押下すると（Ｓ３０２０にてＮＯ）、カラーの画像データまたはモノクロの画像データが、モノクロのｉ−ＦＡＸ形式（ＴＩＦＦ−Ｆフォーマット）へ変換されて、その画像データが電子メールへ添付されて送信される（Ｓ３０４０）。
【００８６】
このような送信側のＭＦＰ（１）３００の動作により、受信側のＭＦＰ（２）３００においては、インターネットＦＡＸを受信したと判定される（Ｓ３１００にてＹＥＳ）。受信した電子メールに添付された画像データのフォーマットを含む画像情報（タグ）が取得され、画像データのフォーマットとして、ＴＩＦＦ−Ｆ（モノクロ）が取得される（Ｓ３１１０）。
【００８７】
ＭＦＰ（２）３００は、機器仕様としてＴＩＦＦ−ＣまたはＴＩＦＦ−Ｆが設定されているので、取得したフォーマットが機器仕様に合致していると判定される（Ｓ３１２０にてＹＥＳ）。ここで、図４に示す「ＣＯＬＯＲ  ＳＴＡＲＴ」ボタン（ソフトウェアボタン）がユーザにより押下されておらず、送達確認機能が有効に設定されていないので（Ｓ３１３０にてＮＯ）、動作が終了する。このような受信側のＭＦＰ（２）３００の動作であっても、送信側のＭＦＰ（１）３００においては、モノクロ送信モードでのｉ−ＦＡＸ送信した後に（Ｓ３０４０の処理後）、送達確認情報の受信を判定することなく、動作を終了している。
【００８８】
以上のようにして、本実施の形態に係るネットワーク画像通信システムによると、送信側のＭＦＰにおいてカラー送信モードでＴＩＦＦ−Ｃフォーマットの画像データが添付された電子メールを送信するときに送達確認機能を自動的に有効に設定して（ユーザがいちいち手動で設定することなく）、受信側のＭＦＰがカラーのｉ−ＦＡＸに対応しておらず送達確認情報が受信できない場合に、画像データをＴＩＦＦ−Ｆフォーマットへ変換して再送信する。このため、受信側のＭＦＰがｉ−ＦＡＸにおけるカラー原稿の処理が可能であるか否かを予め把握することなく、送信側および受信側の双方に煩雑な操作を要求しないで通信することができる。
【００８９】
［変形例］
ＭＦＰ（１）３００にネットワーク接続されたＭＦＰ３００からカラーの画像データ（ＴＩＦＦ−Ｃフォーマット）が転送された場合も、そのままのフォーマットを維持して、ｉ−ＦＡＸでＭＦＰ（１）３００からＭＦＰ（２）３００へ転送することができる。
【００９０】
また、上述した実施の形態においては、送達確認機能により送達が確認できない場合について説明したが、受信側が通信エラー情報を送信してきた場合に、画像データをモノクロ形式へ変換して再送信する処理が実行するようにしても構わない。
【００９１】
また、画像データをモノクロ形式へ変換して再送信する処理においては、カラーの画像データを一旦モノクロの画像データに変換してからＴＩＦＦ−Ｆフォーマットへ変換して再送信しても構わないし、可能であれば、カラーの画像データから直接ＴＩＦＦ−Ｆフォーマットへ変換して再送信しても構わない。
【００９２】
さらに、受信側のＭＦＰにおいては、Ｓ３１２０にてＮＯの場合（受信した画像データのフォーマットが機器仕様に合致していない場合）、電子メールに添付された画像データをハードディスクに記憶するようにしても構わないし、破棄するようにしても構わない。なお、確認的に記載するが、Ｓ３１２０にてＮＯの場合に画像データを受信側のＭＦＰのハードディスクに記憶するように処理しても、送達確認情報が送信側のＭＦＰへ送信されないのであるから、受信側のＭＦＰは画像データを正常に受信したことを検出しない。また、ハードディスクに記憶する場合には、ハードディスクの記憶容量の有効利用の観点から、適宜な時間間隔で消去処理等が行なわれることが好ましい。
【００９３】
今回開示された実施の形態は単に例示であって、本発明が上記した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【００９４】
１００  ネットワーク回線
２００  インターネット回線
３００  ＭＦＰ
３１０（３１２）  ＣＰＵ
３２０  ＲＯＭ
３３０  ＲＡＭ
３４０  ＨＤＤ
３５０  入力Ｉ／Ｆ
３６０  ディスプレイＩ／Ｆ
３７０  ネットワークＩ／Ｆ
３８０  タッチパネルディスプレイ
３９０  バス
【図１】
2011193219.tif 000003
【図２】
2011193219.tif 000004
【図３】
2011193219.tif 000005
【図４】
2011193219.tif 000006